(57)【要約】【課題】  家庭用エレベータの停電や故障等の非常時において、昇降体の搭乗者が昇降路に設けた外扉の電気錠を手動で確実に、かつ、操作性よく解錠できるように構成する。【解決手段】外扉６には昇降路２とのあいだを施錠する電気錠３０が内装され、外扉６の内側面６ｂに設けられ電気錠３０の解錠作動に連動する解錠体３７と、内扉１５の前記解錠体３７対向部位に形成した貫通孔１５ｂと、操作ロッド３８とを設け、該操作ロッド３８は内扉１５の内側面６ｂに当接する当接部を有し、内扉１５の内側から操作ロッド３８を貫通孔１５ｂに挿入し、当接部を内扉１５の内側面１５ｂに当接させた状態で操作ロッド３８の先端部を解錠体３７に係合させて、電気錠３０を手動解錠する。【選択図】  図３
2011068480.tif 000002
【特許請求の範囲】
【請求項１】
昇降路内を昇降する昇降体を備え、昇降体に設けた内扉を昇降路に設けた外扉と連動して、内扉と外扉とを一体に開閉揺動するように構成した家庭用エレベータにおいて、外扉には昇降路とのあいだを施錠する電気錠が内装され、該電気錠を内扉の内側から手動解錠するにあたり、外扉の内側面に設けられ電気錠の解錠作動に連動する解錠体と、昇降体が予め設定される停止位置で内扉の前記解錠体対向部位に形成した貫通孔と、内扉の内側から前記貫通孔に挿入する操作ロッドとを設け、該操作ロッドは内扉の内側面に当接する当接部を有し、操作ロッドを前記貫通孔に挿入し、当接部を内扉の内側面に当接させた状態で操作ロッドの先端部を解錠体に係合させて電気錠を解錠するように構成した家庭用エレベータの開閉扉における解錠構造。
【請求項２】
解錠体は外扉の左右方向に変位可能であり、操作ロッドは前記当接部よりも内側に把持部を有し、操作ロッドの当接部を支点にして前記把持部を扉の戸先側へ回動させることで解錠体を戸尻側へ変位させて電気錠を解錠する請求項１に記載の家庭用エレベータの開閉扉における解錠構造。
【発明の詳細な説明】
【技術分野】
【０００１】
本発明は、二階、三階建て等の一般住宅に設けられる家庭用エレベータの開閉扉における施錠装置の技術分野に属するものである。
【背景技術】
【０００２】
近年、一般住宅に家庭用エレベータを設け、高齢者や障害のある人が階下と階上とのあいだを自由に行き来できるようにしたものがあり、このような家庭用エレベータにおいても、停電や故障時の非常事態に対する備えが必要となっている。そこで、住宅内の階下と階上を連通して設けた昇降路内を昇降する昇降体を備えた家庭用エレベータにおいて、昇降体に設けた内扉を昇降体が予め設定される停止位置に位置することで昇降路に設けた外扉に連動させ、内扉と外扉とを一体に開閉揺動するように構成し、外扉と昇降路のあいだに設けた電気錠には、内扉の内側から手動解錠するための非常脱出装置が設けられたものが提唱されている。
【先行技術文献】
【特許文献】
【０００３】
【特許文献１】特開２００６−１５１５５５号公報
【発明の概要】
【発明が解決しようとする課題】
【０００４】
前記非常脱出装置は、内扉の内側から操作ロッドを挿し込んで外扉に内装された電気錠のロック片作動体を解錠位置に変位させるように構成されている。停電や故障等により、電気錠の電気的な解錠が不可能になった場合では、昇降体内部の搭乗者は、操作ロッドを内扉に設けた貫通孔とこれに連通する外扉内側面のロック片作動体に連動する解錠プレートのロッド貫通孔に挿し込み、挿し込んだ操作ロッドの先端部をロッド貫通孔の孔縁に引っ掛けてロック片作動体を解錠方向に変位させるが、非常時に、操作ロッドの先端部を確実に孔縁に引掛け、かつ解錠操作を行なうことは容易ではない。特に、操作ロッドを単なる丸棒のようなもので構成した場合では孔縁に引っ掛からなかったり、誤った方向に操作をしてしまうことなどが考えられ、ここに本発明の解決すべき課題がある。
【課題を解決するための手段】
【０００５】
本発明は、叙述の如き実情に鑑み、これらの課題を解決することを目的として創作されたものであって、請求項１に記載の発明は、昇降路内を昇降する昇降体を備え、昇降体に設けた内扉を昇降路に設けた外扉と連動して、内扉と外扉とを一体に開閉揺動するように構成した家庭用エレベータにおいて、外扉には昇降路とのあいだを施錠する電気錠が内装され、該電気錠を内扉の内側から手動解錠するにあたり、外扉の内側面に設けられ電気錠の解錠作動に連動する解錠体と、昇降体が予め設定される停止位置で内扉の前記解錠体対向部位に形成した貫通孔と、内扉の内側から前記貫通孔に挿入する操作ロッドとを設け、該操作ロッドは内扉の内側面に当接する当接部を有し、操作ロッドを前記貫通孔に挿入し、当接部を内扉の内側面に当接させた状態で操作ロッドの先端部を解錠体に係合させて電気錠を解錠するように構成した家庭用エレベータの開閉扉における解錠構造である。
請求項２の発明は、解錠体は外扉の左右方向に変位可能であり、操作ロッドは前記当接部よりも内側に把持部を有し、操作ロッドの当接部を支点にして前記把持部を扉の戸先側へ回動させることで解錠体を戸尻側へ変位させて電気錠を解錠する請求項１に記載の家庭用エレベータの開閉扉における解錠構造である。
【発明の効果】
【０００６】
請求項１に記載の発明とすることにより、操作ロッドを貫通孔に挿入したときの位置決めがなされ、電気錠を確実に解錠することができる。
請求項２に記載の発明とすることにより、操作ロッドによる解錠操作を容易に、かつ確実に行なうことができて、操作性が向上する。
【図面の簡単な説明】
【０００７】
【図１】家庭用エレベータの前方部位を切り欠いた図であって、（Ａ）は正面図、（Ｂ）は側面図である。
【図２】家庭用エレベータの平面断面図である。
【図３】家庭用エレベータの要部拡大平面図である。
【図４】電気錠を示す図であって、（Ａ）は平面図、（Ｂ）は正面図である。
【図５】解錠ユニットを示す図であって、（Ａ）は平面図、（Ｂ）は正面図である。
【図６】操作ロッドを示す図であって、（Ａ）は平面図、（Ｂ）は正面図である。
【図７】第二の実施形態を示す家庭用エレベータの要部拡大平面図である。
【発明を実施するための形態】
【０００８】
つぎに、本発明の実施の形態について、図面に基づいて説明する。
図面において、１は二階建て住宅室内に設けられた家庭用のエレベータであり、該エレベータ１を構成する昇降路２は、一階床部から二階天井部に至る部位が連通する上下方向に長い矩形状に形成されており、下側から順に一階の空間に面する第一部位３、一階と二階のあいだの天井部空間に面する第二部位４、二階の空間に面する第三部位５のそれぞれに分割された構成となっている。
【０００９】
一階の空間に面する第一部位３の前側面には外扉６が設けられ、該外扉６は、第一部位３を構成する一対の左右側片部３ａ、３ｂのうち、右側側片部３ｂの前縁部に蝶番を介して支持されており、外扉６の左側縁部を戸先として前後方向に開閉するように構成されている。
第一部位３の一対の左右側片部３ａ、３ｂには、前後端縁部に位置して前後一対の縦枠材である前縦枠材７、後縦枠材８が設けられ、各縦枠材７、８の内側面には、内方に突出する複数の突片７ａ、８ａが一体形成されている。さらに、左側片部３ａの前縦枠材７には、前端縁から内方に向けて突出する前突片７ｂが一体形成されている。
【００１０】
一方、第二部位４は、第一部位３の左右側片部３ａ、３ｂに連結される一対の左右側片部４ａ、４ｂと、該側片部４ａ、４ｂの前端縁部を連結する前パネル体４ｃと、を備えて構成されている。第二部位４の左右側片部４ａ、４ｂの前後端縁部は、前記第一部位３の左右側片部３ａ、３ｂと同様の構成となっており、前後に一対の縦枠材９，１０が設けられている。そして、前後の縦枠材９、１０の内側面には、内方に突出する複数の突片９ａ、１０ａが、前記第一部位３の前後縦枠材７、８の突片７ａ、８ａに上下方向に連続（連通）する状態で一体形成されている。また、左側片部４ａの前縦枠材９には、前端縁から内方に向けて突出する前突片９ｂが一体形成されている。
【００１１】
二階の空間に面する第三部位５は、第二部位４の左右側片部４ａ、４ｂに連結される一対の左右側片部５ａ、５ｂを備えて構成されている。そして、左右側片部５ａ、５ｂの前端縁部に外扉６が設けられるが、該外扉６は、前記第一部位３に設けられるものと同様の構成である。また、第三部位５の上部には、左右側片部５ａ、５ｂの上端部と二階天井面とのあいだに、後述する駆動ボックス１１が配設されている。
そして、前記一対の左右側片部５ａ、５ｂは、前記第一、第二部位３、４と略同様の構成となっており、前後端縁部に上下方向を向く前後一対の縦枠材１２、１３とを備えて構成されている。これら前後の縦枠材１２、１３は、それぞれ前記第一、第二部位３、４を構成する各縦枠材７、８、９、１０と同様のものとなっており、内側面には、内方に突出する複数の突片１２ａ、１３ａが、各縦枠材７、８、９、１０の突片７ａ、８ａ、９ａ、１０ａに上下方向に連続（連通）する状態で一体形成されている。また、左側片部５ａの前縦枠材１２には、前端縁から内方に向けて突出する前突片１２ｂが一体形成されている。
【００１２】
一方、１４は昇降路２内を上下移動するボックス状に形成された昇降体であって、該昇降体１４は、上下片部１４ａ、１４ｂ、左右側片部１４ｃ、１４ｄ、後側片部１４ｅにより囲繞される構成となっており、これら各片部１４ａ、１４ｂ、１４ｃ、１４ｄ、１４ｅはそれぞれ昇降路２を構成する前記第一、第二、第三部位３、４、５の内側面に近接対向している。また、左右側片部１４ｃ、１４ｄの前端縁部には、それぞれ前枠材１４ｆが設けられており、右側前枠材１４ｆに昇降体１４の前側片を構成する内扉１５の右側端縁部が蝶番を介して連結されており、内扉１５の左側縁部が前記右側縁部を基準として前後方向に揺動することで開閉するように設定されている。
【００１３】
そして、内扉１５には連結受け部１５ａが設けられる一方、第一、第三部位３、５に開閉自在に設けられた外扉６には連結ピン６ａが設けられており、昇降体１４が一階部位、あるいは二階部位の予め設定される停止位置である第一停止位置、第二停止位置においてそれぞれ停止したとき、連結ピン６ａが内扉１５の扉面に沿って設けられた連結受け部１５ａに左右方向移動可能な状態で嵌入し、内扉１５と外扉６との連結がなされて一体に開閉揺動するように構成されている。
【００１４】
昇降体１４の前後左右の隅部には、上下方向複数箇所に位置して、各部位３、４、５の突片７ａ、８ａ、９ａ、１０ａ、１２ａ、１３ａに案内されるガイドローラ１６、１７、１８が外方に向けて突出する状態で回転自在に設けられている。
また、昇降体１４の内扉１５の戸先側端面には、上下方向複数箇所に位置して、左側に突出する内扉ガイドローラ１９が設けられている。一方、第一、第三部位３、５の内扉ガイドローラ１９を案内する突片７ｂ、１２ｂには、昇降体１４が一階または二階の第一、第二停止位置において停止した状態の内扉ガイドローラ１９の前方への揺動を許容するための切り欠き（図示せず）が形成されている。
【００１５】
駆動ボックス１１には図示しないブレーキ装置を備えた開閉機２０と、ベルト体２１が巻装された巻装装置２２とが左右方向に並んで設けられている。ベルト体２１は、巻き出し端部が昇降体１４の上片部１４ａに一体的に連結され、昇降体１４を吊持するように構成されている。そして、開閉機２０が正逆回転駆動することに基づいて巻装装置２２に巻装されたベルト体２１が巻き取り、巻き出されて、昇降体１４は前述した第一停止位置と、第二停止位置とのあいだを上下に昇降するように設定されている。
【００１６】
前記開閉機２０は、前述したようにブレーキ装置を備えており、通常の使用状態では、開閉機２０の駆動状態に基づいてブレーキ装置を開放、または、制動状態に自動的に切換え、昇降体１４を上下昇降、または停止保持するように設定されている。そして、停電や故障が生じた場合には、開閉機２０はブレーキ装置が制動状態となったままとなり、昇降体１４が第一停止位置、第二停止位置以外の位置に停止することになるが、本実施の形態の開閉機２０は、手動によるブレーキ解放を行なうことにより、巻装装置２２に内装された調速機により調速された状態で自重降下し、昇降体１４を一階に面する第一停止位置に停止するように構成されている。開閉機２０には、ブレーキ装置のブレーキ軸に連係する図示しないブレーキレバーが設けられ、該ブレーキレバーに連結した二本の作動ワイヤ２３が操作可能な位置まで引き出されている。
【００１７】
一本の作動ワイヤ２３の先端部は、駆動ボックス下片１１ａを貫通して、操作部２３ａとして直下方向に自然垂下する状態で延出するように設定されている。
また、前記昇降体１４の後側片部１４ｅには、左側における上下二箇所にワイヤ案内体２４が設けられており、前記下方に自然垂下する操作部２３ａが移動自在に挿通されるように位置設定されている。そして、下方に引き出された操作部２３ａは、第一停止位置に位置する昇降体１４の下方において上方に向けて湾曲状に折り返されて上側を向くように引き回されている。
さらに、昇降体後側片部１４ｅには、右側下方に位置して昇降体１４の内外を貫通する矩形状の貫通孔に嵌着される状態で収容ボックス２５が一体的に設けられている。そして、前記昇降体後側片部１４ｅの後方において折り返し状に引き回されて上側を向く操作部２３ａは、下片から収容ボックス２５内に引き出されている。尚、作動ワイヤ２３には、駆動ボックス下片１１ａと収容ボックス２５の下片に支持されたアウターワイヤが外嵌している。
収容ボックス２５内に引き込まれた操作部２３ａの引き出し端部には把持具２３ｂが一体的に連結されており、把持具２３ｂを上方に引っ張り操作することに基づいて、アウターワイヤに対して操作部２３ａが相対移動してブレーキレバーを下動させ、ブレーキ装置を解放することができるように設定されている。
尚、もう一本の作動ワイヤは駆動ボックス１１の前端部下方に引き回されて、前面１１ｂから前方に引き出された部位が操作部となっている。
【００１８】
停電等になり、搭乗者が昇降体１４の中に閉じ込められたような場合では、昇降体１４の中に設けられた収容ボックス２５を開放し、把持具２３ｂを上方に引き上げ操作することで、操作部２３ａがアウターワイヤに対して相対移動する状態で引き操作されて、ブレーキ装置を解放することができ、搭乗者が自分で昇降体１４を第一停止位置まで降下させることができるように構成されている。
【００１９】
ところで、本実施の形態の家庭用のエレベータ１において昇降体１４が第一、第二何れかの停止位置に停止したとき、昇降路２に配される外扉６と昇降体１４に配される内扉１５とは、前述したように、一体に開閉作動するように構成されており、一、二階にそれぞれ配される各外扉６は、昇降路２を構成する第一、第三部位３、５の左側片３ａ、５ａとのあいだに設けた電気錠３０により施錠されるように設定されている。
【００２０】
前記電気錠３０は、各外扉６の戸先側板厚内に内装されており、これら各電気錠３０は、外扉６の戸先側端面から退避自在に突出するロック片３０ａが、昇降路第一、第三部位３、５の左側片３ａ、５ａ側の縦枠体３ｃ、５ｃに配された錠受け孔３ｄ、５ｄに係脱自在に係止することにより、昇降路２と外扉６とを施錠−解錠するように構成されている。そして、前記ロック片３０ａは閉鎖側（内側）に面する側面が、突出端部ほど開放側（外側）に位置する傾斜面に形成されているとともに、ロック片３０ａの基端部は、後述するように、支持ボディ３１の戸先側端面に左右方向への移動が自在で、かつ、開閉方向（内外方向）への揺動が自在な状態で支持されている。
【００２１】
前記支持ボディ３１には、図示しないロック片作動体が内装されており、該ロック片作動体によりロック片３０ａの基端部を支持している。前記ロック片作動体は、ロック片３０ａの基端部を支持する位置を左右方向に変位することにより、ロック片３０ａの支持状態を変えるように設定されている。つまり、ロック片作動体は、外扉６の戸先側（左側）の施錠位置に位置してロック片３０ａを支持する場合では、ロック片３０ａを、錠受け孔３ｄ、５ｄに係止させる突出姿勢と、戸尻側（右側）に退避して錠受け孔３ｄ、５ｄとの係止を解除させる退避姿勢とに変姿可能（左右方向移動自在）な状態となるように支持している。また、ロック片作動体が前記施錠位置の右方の解錠位置に位置してロック片３０ａを支持する場合では、ロック片３０ａを、外扉６と内扉１５との開閉方向（内外方向）に揺動自在となるように支持している。
そして、ロック片作動体は、支持ボディ３１の戸尻側端部に位置して、開閉方向（内外方向）に貫通し、かつ、左右方向に長く開設された貫通孔３１ａに移動自在に挿通する連結ピン３２に連繋されている。そして、連結ピン３２が貫通孔３１ａ内において左右方向に変位することに伴い、ロック片作動体を施錠位置と解錠位置とに変位させるように設定されている。
【００２２】
一方、支持ボディ３１の戸尻側にはソレノイドを備えたアクチュエータ３３が設けられ、該アクチュエータ３３の駆動軸３３ａは戸先側に突出して配設されており、ソレノイドに通電がなされることに基づいて、所定のストロークを存して戸尻側に変位するように設定されている。そして、前記駆動軸３３ａの突出端部に、内外一対の作動アーム３４の基端部が連結されており、これら作動アーム３４の先端部は、支持ボディ３１に内外方向を向いて貫通する連結ピン３２の貫通両端部に、それぞれ連結ピン３２に対し抜け止め状、かつ、相対移動が規制される状態で連結されている。さらに、作動アーム３４の基端部には、アクチュエータ３３の戸先側端面３３ｂと左右方向の間隙を存して対面する折曲片部３４ａが形成されており、アクチュエータ戸先側端面３３ｂと折曲片部３４ａとのあいだに、作動アーム３４を戸先側に押圧する付勢弾機３４ｂが設けられている。
【００２３】
このように構成された電気錠３０において、ソレノイドが非励磁状態（非通電状態）にある場合では、連結ピン３２は、付勢弾機３４ｂの付勢力を受ける状態で戸先側に位置しており、これによって、連結ピン３２に連繋されたロック片作動体は施錠位置に位置しており、ロック片３０ａを突出姿勢と退避姿勢とに変姿可能な状態となるように設定されている。
これに対し、ソレノイドに通電がなされて励磁した場合（通電状態）では、駆動軸３３ａが前記所定のストロークだけ戸尻側に退避することに基づいて、作動アーム３４を介して連結ピン３２を戸尻側に変位させ、これによって、連結ピン３２に連繋されたロック片作動体は解錠位置に位置し、ロック片３０ａを内外方向に揺動可能な状態とするように設定されている。
【００２４】
一方、図示しない操作スイッチを操作して所定の停止位置に昇降体１４が停止した場合、電気錠３０のソレノイドに通電がなされて励磁状態となり、該ソレノイドの励磁によって、駆動軸３３ａが所定のストロークだけ戸尻側に変位するように設定されている。そして、駆動軸３３ａの前記変位に基づいて、連結ピン３２を介してロック片作動体を解錠位置に変位させ、ロック片３０ａを内外方向の揺動が自在な状態とするように設定されている。
ここで、第一、第三部位３、５の前縦枠材７、１２に形成された前突片７ｂ（１２ｂ）は、外扉６の戸先側に近接対向するように配設されているが、該前突片７ｂ（１２ｂ）には、外扉６を常時開放側（外方）に押しやるために弾機により外側に付勢された押圧体３５が設けられている。外扉６が閉鎖した施錠状態では、押圧体３５は外扉６の対応箇所に形成された凹部に嵌入するように設定されている。そして、施錠状態においてソレノイドが励磁されてロック片３０ａが開閉（内外）方向揺動自在になることに伴い、押圧体３５が弾機の付勢力により外扉６を開放側に押しやり、これによって、ロック片３０ａは錠受け孔３ｄ、５ｄとの係止を解除（解錠）して、外扉６の自動的な開放がなされるように設定されている。
【００２５】
ここで、前述のように構成された電気錠３０は、停電等の非常時では解錠できないことになるが、本発明では非常脱出装置としての解錠ユニット３６が一、二階に面する外扉６に設けられており、手動により電気錠３０の解錠ができるように構成されている。これによって、停電等の非常時において、前述したように開閉機２０のブレーキ装置を解放する操作を前記手順に基づいて行い、昇降体１４を第一停止位置に停止させた後、電気錠３０を手動により解錠することにより、昇降体１４の搭乗者が、自らの操作に基づいて昇降体１４から緊急脱出できるように構成することができ、これによって、外部から保守員を呼ぶ等の手間や面倒をかけることがなく、操作性を向上することができる。
【００２６】
前記外扉６の内側面６ｂには、電気錠３０の連結ピン３２配設部位に対向して左右方向所定長さに設定された貫通孔６ｃが開設されている。ここで、前記貫通孔６ｃは、アクチュエータ駆動軸３３ａがソレノイドの励磁により変位する所定のストローク（変位ストローク）よりも左右方向に長く形成されている。そして、外扉内側面６ｂの貫通孔６ｃ形成部位を覆うようにして前記解錠ユニット３６が設けられている。
前記解錠ユニット３６を構成する解錠プレート３７は、外扉内側面６ｂに沿って積層状に設けられ、外扉６の戸先側となる端縁部に、外側に向けて折曲された当接片３７ａが形成されている。前記当接片３７ａは、外扉内側面６ｂに開設された貫通孔６ｃを貫通して電気錠３０が配設される板厚内に延出するように設けられている。さらに、解錠プレート３７の戸尻側端部には、後述する操作ロッド３８が嵌入して解錠プレート３７に係合するロッド貫通孔３７ｂが開設されている。
【００２７】
３９は解錠プレート３７の板厚よりも僅かに厚い板材で形成された第一支持プレートであって、該第一支持プレート３９には、解錠プレート３７を内嵌する矩形状の貫通孔３９ａが開設されている。前記貫通孔３９ａの左右方向長さは、解錠プレート３７の左右方向長さに、アクチュエータ駆動軸３３ａの前記所定の変位ストロークを加えた長さよりも長く形成されている。そして、前記第一支持プレート３９に積層される第二支持プレート４０には、解錠プレート３７に開設されたロッド貫通孔３７ｂに連通する貫通孔４０ａが、前記ロッド貫通孔３７ｂの左右長さよりも長く形成されている。
そして、第一、第二支持プレート３９、４０、解錠プレート３７を積層した状態とし、前述したように、解錠プレート３７の当接片３７ａを外扉貫通孔６ｃに差し込むようにして外扉６の内側面６ｂに螺子を用いて固定することにより、解錠ユニット３６が外扉内側面６ｂに固定されている。
前記固定状態において、解錠プレート３７は、外扉内側面６ｃと第二支持プレート４０のプレート面とのあいだに摺動自在な状態で挟持状に支持され、第一支持プレート３９の貫通孔３９ａの左右幅内において移動するように設定されている。このとき、第二支持プレート貫通孔４０ａは、解錠プレート３７のロッド貫通孔３７ｂと連通状に位置するように設定されている。さらに、解錠プレート３７の上下縁部には、第一支持プレート３９の貫通孔３９ａの上下の孔縁３９ｂが近接対向しており、これら上下の孔縁３９ｂは、解錠プレート３７が左右方向に変位するときに、解錠プレート３７の上下縁部の移動規制をしつつ解錠プレート３７の左右方向の移動をガイドするように設定されている
【００２８】
さらに、前記解錠ユニット３６の取り付け状態において、解錠プレート３７の当接片３７ａは、外扉６の板厚内に挿入して電気錠３０配設部位側に延出しており、ロック片作動体が連繋されている連結ピン３２に干渉するように配設されているが、当接片３７ａは、ソレノイドの非励磁状態におけるロック片作動体が施錠位置に位置するときの連結ピン３２に対し戸先側から当接するように設定されている。
また、昇降体１４側に設けられる内扉１５には、昇降体１４が第一停止位置または第二停止位置に停止したとき、解錠ユニット３６に対向する部位に位置し、該解錠ユニット３６の第二支持プレート貫通孔４０ａと解錠プレート３７のロッド貫通孔３７ｂとに連通する貫通孔１５ｂが内外方向貫通状に形成されている。
【００２９】
前記操作ロッド３８は、電気錠３０を解錠するときに内扉１５の貫通孔１５ｂに嵌入して先端が解錠プレート３７のロッド貫通孔３７ｂに係合する第一ロッド３８ａと、該第一ロッド３８ａがロッド貫通孔３７ｂに係合するときに先端が内扉１５の内側面１５ｃに当接する第二ロッド３８ｂと、第一ロッド３８ａの基端側と第二ロッド３８ｂの先端側を連結する連結ロッド３８ｃ（本発明の当接部に相当）と、第二ロッド３８ｂの基端側に連結し、戸尻側に向かって延出する把持部３８ｄとを備えた棒材により一体成形された操作具である。図３に示すように、直線状の第一ロッド３８ａは、内扉１５の内側面１５ｃから外扉６の内側面６ｂまでの距離よりもわずかに長い寸法となっており、連結ロッド３８ｃは、第一ロッド３８ａの基端側に連結して平面視戸尻側に９０度曲がって延出しており、内扉１５の板厚と略同じ長さを有している。第二ロッド３８ｂは、連結ロッド３８ｃの戸尻側端部から昇降体１４の内部に向けて９０度曲がった方向に延出しており、延出端（基端）から戸尻側に９０度曲がった方向に略コ字形をした把持部３８ｄが形成されている。前記第二ロッド３８ｂの先端部（連結ロッド３８ｃ）が内扉１５の内側面１５ｃに当接したときに第一ロッド３８ａの先端が外扉６の内側面６ｂに固定されている解錠ユニット３６の解錠プレート３７に形成されたロッド貫通孔３７ｂに係合するように設定されている。
【００３０】
そして、本実施の形態では、停電等の非常時において、開閉機２０のブレーキ装置を解放することで昇降体１４を予め設定される第一停止位置に停止させた状態で、電気錠３０の手動解錠を行うことになる。
前記電気錠３０を解錠する場合では、昇降体１４内に収容されている操作ロッド３８を取り出し、該操作ロッド３８の第一ロッド３８ａの先端を、内扉１５に開設された貫通孔１５ｂ、これに連通する解錠ユニット３６の第二支持プレート貫通孔４０ａを介して解錠プレート３７のロッド貫通孔３７ｂに挿し込むとともに第二ロッド３８ｂの先端部（連結ロッド３８ｃ）を内扉１５の内側面１５ｃに当接させる。第二ロッド３８ｂ先端部の内側面１５ｃへの当接が、操作ロッド３８の解錠ユニット３６への挿し込み方向の位置決めとなり、これにより第一ロッド３８ａの先端が確実にロッド貫通孔３７ｂの戸尻側孔縁３７ｃに係合するように設定されている。そして、挿し込んだ第一ロッド３８ａの先端を、ロッド貫通孔３７ｂの戸尻側孔縁３７ｃに引っ掛けて、第二ロッド３８ｂ先端部と内扉１５の内側面１５ｃの当接部を支点にして把持部３８ｄを戸先側（昇降体１４の前枠材１４ｆの方向）へ向けて水平に反時計回りに回動させ解錠プレート３７を戸尻側（右側）に変位させることにより、当接片３７ａが連結ピン３２を戸尻側に強制変位するように設定されている。これによって、ロック片作動体が連結ピン３２の変位により強制的に解錠位置に変位し、ロック片３０ａが内外方向揺動自在となり、押圧体３５の押圧力に基づいて錠受け孔３ｄ、５ｄとの係止を解除して、外扉６が内扉１５と一体に開放されるように設定されている。
【００３１】
叙述の如く構成された本形態において、エレベータ１は、昇降体１４に人が搭乗している状態において、停電や故障等により、外扉６と昇降路２とのあいだに設けた電気錠３０の電気的な解錠が不可能になってしまった場合では、内扉１５の内側から手動操作できる非常脱出装置としての解錠ユニット３６が設けられており、昇降体１４の内部から操作ロッド３８を用いて電気錠３０を手動で解錠することができて、昇降体１４からの脱出を容易に行うことができる。
そして、電気錠３０を手動解錠する操作具である操作ロッド３８は、第二ロッド３８ｂの先端部を内扉１５の内側面１５ｃへ当接させることで、第一ロッド３８ａの先端を電気錠３０の解錠プレート３７に形成されたロッド貫通孔３７ｂに確実に係合させることができるので、非常時であっても操作性よく、確実に解錠操作を行なうことができる。
さらに本発明の操作ロッド３８は、第二ロッド３８ｂの先端部と内扉１５の内側面１５ｃとの当接部を支点にして、把持部３８ｄを水平に戸先側へ回動操作することで、誤った方向に操作することがなく、電気錠３０の解錠を軽い操作力で行なうことができる。
【００３２】
つぎに、図７に基づいて操作ロッドの第二の実施形態について説明する。尚、第二の実施の形態を説明するにあたり、第一の実施の形態と同様の構成部材については同様の符号を付すことにより説明を省略する。
第二の実施形態の操作ロッド４１は、電気錠３０を解錠するときに解錠プレート３７のロッド貫通孔３７ｂに係合する第一ロッド部４１ａと、該第一ロッド４１ａがロッド貫通孔３７ｂに係合するときに先端が内扉１５の内側面１５ｃに当接する第二ロッド４１ｂと、第一ロッド４１ａと第二ロッド４１ｂの基端部同士をＵ字状に連結する連結ロッド４１ｃとを有して棒材により一体成形された操作具である。第一ロッド４１ａと第二ロッド４１ｂは略平行に延出し、第一ロッド４１ａは第二ロッド４１ｂよりも長く、第二ロッド４１ｂの先端が内扉１５の内側面１５ｃに当接したとき、第一ロッド４１ａの先端が外扉６の内側面６ｂに固定されている解錠ユニット３６の解錠プレート３７に形成されたロッド貫通孔３７ｂに係合するような長さに設定されている。
【００３３】
停電等の非常時において、開閉機２０のブレーキ装置を解放することで昇降体１４を予め設定される第一停止位置に停止させた状態で、電気錠３０の手動解放を行う場合では、昇降体１４内に収容されている操作ロッド４１を取り出し、該操作ロッド４１の第一ロッド４１ａの先端を、内扉１５に開設された貫通孔１５ｂ、これに連通する解錠ユニット３６の第二支持プレート貫通孔４０ａを介して解錠プレート３７のロッド貫通孔３７ｂに挿し込むとともに第二ロッド４１ｂの先端（本発明の当接部に相当）を内扉１５の内側面１５ｃに当接させる。第二ロッド４１ｂ先端の内側面１５ｃへの当接が、操作ロッド４１の解錠ユニットへの挿し込み方向の位置決めとなり、これにより第一ロッド４１ａの先端が確実にロッド貫通孔３７ｂの戸尻側孔縁３７ｃに係合するように設定されている。そして、挿し込んだ第一ロッド４１ａの先端を、ロッド貫通孔３７ｂの戸尻側孔縁３７ｃに引っ掛けて、第二ロッド４１ｂの先端と内扉１５の内側面１５ｃとの当接部を支点にして、連結ロッド４１ｃを把持して、戸先側（昇降体１４の前枠材１４ｆの方向）へ向けて水平に移動させ解錠プレート３７を戸尻側（右側）に変位させることにより、当接片３７ａが連結ピン３２を戸尻側に強制変位するように設定されている。これによってロック片３０ａが内外方向揺動自在となり、錠受け孔３ｄ、５ｄとの係止を解除して、外扉６が内扉１５と一体に開放されるように設定されている。
このように構成することにより、第一ロッド４１ａの先端を電気錠３０の解錠プレート３７に形成されたロッド貫通孔３７ｂに確実に係合させることができるので、非常時であっても操作性よく、確実に解錠操作を行なうことができる。
【符号の説明】
【００３４】
１  家庭用エレベータ
２  昇降路
３  第一部位
６  外扉
１４  昇降体
１５  内扉
２０  開閉機
３０  電気錠
３２  連結ピン
３６  解錠ユニット
３７  解錠プレート
３８  操作ロッド
３８ａ  第一ロッド
３８ｂ  第二ロッド
３８ｃ  連結ロッド
３８ｄ  把持部
【図１】
2011068480.tif 000003
【図２】
2011068480.tif 000004
【図３】
2011068480.tif 000005
【図４】
2011068480.tif 000006
【図５】
2011068480.tif 000007
【図６】
2011068480.tif 000008
【図７】
2011068480.tif 000009